(57)【要約】【課題】従来、酸素を浴室に供給して、快適な入浴を楽しもうとした場合、ジェットバスシステム等の大掛かりなシステムが必要であるという課題を有していた。【解決手段】酸素富化装置２６を制御する制御手段３０と、外部入力装置３１とを有し、入浴者が浴槽に入ると、自動的に入浴中の人が高濃度の酸素を吸いながら湯につかることで、温浴効果を促進したり、居眠りを防止したりできる。また、高濃度の酸素が浴室内に充満していくことになり、リフレッシュ効果でリラックスして入浴することができる構成としたものである。【選択図】図１
2006207877.tif 000002
【特許請求の範囲】
【請求項１】
ポンプにより浴槽の湯が循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、前記追焚き循環回路に設けられた水位検出装置と、酸素富化装置を制御する制御手段と、酸素運転を入力できる外部入力装置とを有し、前記水位検出装置の信号により浴槽の湯の上昇を検出した場合には前記追焚き循環回路に混入させた高濃度の酸素を前記追焚きアダプタより噴出させる酸素運転を行う構成とした酸素富化給湯装置。
【請求項２】
前記水位検出装置の信号により浴槽の湯の上昇を検出した場合には前記追焚き循環回路に混入させた高濃度の酸素を前記追焚きアダプタより噴出させる酸素運転を行い、前記外部入力装置に前記酸素運転を行った時間を表示する構成とした請求項１に記載の酸素富化給湯装置。
【請求項３】
前記水位検出装置の信号により浴槽の湯の上昇を検出した場合には前記追焚き循環回路に混入させた高濃度の酸素を前記追焚きアダプタより噴出させる酸素運転を行い、前記外部入力装置から前記酸素運転を行った時間を音声でお知らせする構成とした請求項１に記載の酸素富化給湯装置。
【請求項４】
前記水位検出装置の信号により浴槽の湯の上昇を検出した場合には、前記外部入力装置により設定された時間だけ、前記追焚き循環回路に混入させた高濃度の酸素を前記追焚きアダプタより噴出させる酸素運転を行う構成とした請求項１に記載の酸素富化給湯装置。
【請求項５】
前記水位検出装置の信号により浴槽の湯の上昇を検出した場合には、前記外部入力装置により設定された時間だけ、前記追焚き循環回路に混入させた高濃度の酸素を前記追焚きアダプタより噴出させる酸素運転を行い、運転時間の残時間を前記外部入力装置に表示する構成とした請求項１に記載の酸素富化給湯装置。
【請求項６】
前記水位検出装置の信号により浴槽の湯の上昇を検出した場合には、前記追焚き循環回路に混入させた高濃度の酸素を前記追焚きアダプタより噴出させる酸素運転を行い、さらに前記水位検出装置の信号により浴槽の湯の下降を検出した場合には前記酸素運転を停止する構成とした請求項１に記載の酸素富化給湯装置。
【発明の詳細な説明】
【技術分野】
【０００１】
本発明は追焚き循環回路を有する給湯器の追焚き配管を利用して、浴槽内の浴水中に酸素を供給する機能を有する給湯装置に関するものである。
【背景技術】
【０００２】
従来、この種の酸素供給装置は、ジェットバス等の浴槽水を循環させる管路に気体を供給する供給部を設け、この供給部に酸素富化空気を供給するための酸素富化装置を設けたものである（たとえば特許文献１参照）。
【０００３】
図４は、前記公報に記載された従来の浴槽内への酸素供給装置を示すものである。図４において、１は浴槽、２は管路、３は供給部、４は吸入口、５は吐出口、７は酸素富化装置、８はポンプである。
【特許文献１】特開平４−２３４７号公報（第４７２頁、第５図）
【発明の開示】
【発明が解決しようとする課題】
【０００４】
しかしながら、前記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００５】
本発明は、前記従来の課題を解決するもので、殆どの家庭で設置している、ポンプにより浴槽の湯が循環する追い焚き循環回路を有する給湯機の前記追焚き循環回路に、酸素富化装置からの高濃度の酸素を混入させ、浴槽に取り付けられている追焚きアダプタより噴出させる構成とすることで安価に取りつけでき、かつ循環流量も少ないので、長時間の酸素供給も可能な装置を提供することを目的とする。
【課題を解決するための手段】
【０００６】
前記従来の課題を解決するために、本発明の酸素富化給湯装置は、ポンプにより浴槽の湯が循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、前記追焚き循環回路に設けられた水位検出装置と、酸素富化装置を制御する制御手段と、酸素運転を入力できる外部入力装置とを有し、前記水位検出装置の信号により浴槽の湯の上昇を検出した場合には前記追焚き循環回路に混入させた高濃度の酸素を前記追焚きアダプタより噴出させる酸素運転を行う構成としたものである。これによって、常に使用する追焚き装置に酸素富化装置他を追加し、使用者が浴槽に入ると自動的に高濃度の酸素を簡単に得ることができるようになる。
【発明の効果】
【０００７】
以上のように本発明によれば、入浴者が浴槽に入ると、自動的に入浴中の人が高濃度の酸素を吸いながら湯につかることで、温浴効果を促進したり、居眠りを防止したりできる。また、高濃度の酸素が浴室内に充満していくことになり、リフレッシュ効果でリラックスして入浴することができる。
【発明を実施するための最良の形態】
【０００８】
請求項１に記載の発明は、ポンプにより浴槽の湯が循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、前記追焚き循環回路に設けられた水位検出装置と、酸素富化装置を制御する制御手段と、酸素運転を入力できる外部入力装置とを有し、前記水位検出装置の信号により浴槽の湯の上昇を検出した場合には前記追焚き循環回路に混入させた高濃度の酸素を前記追焚きアダプタより噴出させる酸素運転を行う構成としたものである。
【０００９】
この構成により、入浴者が浴槽に入ると、自動的に混入手段によって酸素富化装置からの高濃度の酸素は追焚き配管の中の湯に混入され、この酸素が混入された湯が浴槽に取りつけた追焚きアダプタから噴出するときに、高濃度の酸素が気泡となって浴槽水の中を通過し、その後浴室内に充満するようになる。
【００１０】
この結果、入浴中の人が高濃度の酸素を吸いながら湯につかることで、温浴効果を促進したり、居眠りを防止したりできる。また、高濃度の酸素が浴室内に充満していくことになり、リフレッシュ効果でリラックスして入浴することができる。
【００１１】
請求項２に記載の発明は、請求項１に記載の発明の酸素富化給湯装置で、前記水位検出装置の信号により浴槽の湯の上昇を検出した場合には前記追焚き循環回路に混入させた高濃度の酸素を前記追焚きアダプタより噴出させる酸素運転を行い、前記外部入力装置に前記酸素運転を行った時間を表示する。
【００１２】
この構成により、入浴者が浴槽に入ると、自動的に混入手段によって酸素富化装置からの高濃度の酸素は追焚き配管の中の湯に混入され、この酸素が混入された湯が浴槽に取りつけた追焚きアダプタから噴出するときに、高濃度の酸素が気泡となって浴槽水の中を通過し、その後浴室内に充満するようになり、この酸素運転を行った時間を外部入力装置に表示する。
【００１３】
この結果、高濃度の酸素を吸いながら湯につかることで、温浴効果を促進したり、リフレッシュ効果でリラックスして入浴している時間を入浴中の人が容易に知ることができ、入浴する上で非常に便利で使い勝手が良い。
【００１４】
請求項３に記載の発明は、請求項１に記載の発明の酸素富化給湯装置で、前記水位検出装置の信号により浴槽の湯の上昇を検出した場合には前記追焚き循環回路に混入させた高濃度の酸素を前記追焚きアダプタより噴出させる酸素運転を行い、前記外部入力装置から前記酸素運転を行った時間を音声でお知らせする。
【００１５】
この構成により、入浴者が浴槽に入ると、自動的に混入手段によって酸素富化装置からの高濃度の酸素は追焚き配管の中の湯に混入され、この酸素が混入された湯が浴槽に取りつけた追焚きアダプタから噴出するときに、高濃度の酸素が気泡となって浴槽水の中を通過し、その後浴室内に充満するようになり、この酸素運転を行った時間を外部入力装置から音声でお知らせする。
【００１６】
この結果、高濃度の酸素を吸いながら湯につかることで、温浴効果を促進したり、リフレッシュ効果でリラックスして入浴している時間を入浴中の人が容易に知ることができ、入浴する上で非常に便利で使い勝手が良い。
【００１７】
請求項４に記載の発明は、請求項１に記載の発明の酸素富化給湯装置で、前記水位検出装置の信号により浴槽の湯の上昇を検出した場合には、前記外部入力装置により設定された時間だけ、前記追焚き循環回路に混入させた高濃度の酸素を前記追焚きアダプタより噴出させる酸素運転を行う。
【００１８】
この構成により、入浴者が浴槽に入ると、自動的に混入手段によって酸素富化装置からの高濃度の酸素は追焚き配管の中の湯に混入され、この酸素が混入された湯が浴槽に取りつけた追焚きアダプタから噴出するときに、高濃度の酸素が気泡となって浴槽水の中を通過し、その後浴室内に充満するようになり、外部入力装置で設定された時間だけこの酸素運転を行う。
【００１９】
この結果、高濃度の酸素を吸いながら湯につかることで、温浴効果を促進したり、リフレッシュ効果でリラックスして入浴する時間をあらかじめ入浴する人が設定しておくことができ、入浴する上で非常に便利で使い勝手が良い。
【００２０】
請求項５に記載の発明は、請求項１に記載の発明の酸素富化給湯装置で、前記水位検出装置の信号により浴槽の湯の上昇を検出した場合には、前記外部入力装置により設定された時間だけ、前記追焚き循環回路に混入させた高濃度の酸素を前記追焚きアダプタより噴出させる酸素運転を行い、運転時間の残時間を前記外部入力装置に表示する。
【００２１】
この構成により、入浴者が浴槽に入ると、自動的に混入手段によって酸素富化装置からの高濃度の酸素は追焚き配管の中の湯に混入され、この酸素が混入された湯が浴槽に取りつけた追焚きアダプタから噴出するときに、高濃度の酸素が気泡となって浴槽水の中を通過し、その後浴室内に充満するようになり、外部入力装置で設定された時間だけ残り時間を表示しながらこの酸素運転を行う。
【００２２】
この結果、高濃度の酸素を吸いながら湯につかることで、温浴効果を促進したり、リフレッシュ効果でリラックスして入浴する時間をあらかじめ入浴する人が設定しておくことができ、また酸素運転の残時間を入浴中の人が容易に知ることができ、入浴する上で非常に便利で使い勝手が良い。
【００２３】
請求項６に記載の発明は、請求項１に記載の発明の酸素富化給湯装置で、前記水位検出装置の信号により浴槽の湯の上昇を検出した場合には、前記追焚き循環回路に混入させた高濃度の酸素を前記追焚きアダプタより噴出させる酸素運転を行い、さらに前記水位検出装置の信号により浴槽の湯の下降を検出した場合には前記酸素運転を停止する。
【００２４】
この構成により、入浴者が浴槽に入ると、自動的に混入手段によって酸素富化装置からの高濃度の酸素は追焚き配管の中の湯に混入され、この酸素が混入された湯が浴槽に取りつけた追焚きアダプタから噴出するときに、高濃度の酸素が気泡となって浴槽水の中を通過し、その後浴室内に充満するようになり、さらに入浴者が浴槽を出ると自動的に酸素運転を停止する。
【００２５】
この結果、入浴者が浴槽に入ると、自動的に高濃度の酸素を吸いながら湯につかることで、温浴効果を促進したり、リフレッシュ効果でリラックスして入浴することができ、入浴者が浴槽を出ると自動的に酸素運転を停止することができ、入浴する上で非常に便利で使い勝手が良い。
【００２６】
（実施の形態１）
図１は、本発明の第一の実施の形態における酸素富化給湯装置の全体構成図を示すものである。９は給湯装置本体である。１０は熱交換器１２を加熱するバーナ、１１はバーナ１２に燃焼空気を送るバーナファン、１３は燃焼空気の排気口、１４は給湯回路で、給湯入口１５から入った水が熱交換器１２で加熱されて給湯出口１６から出、カラン１７等から吐出される。追焚き循環回路２０に設けられた２９は浴槽の水位を検出する水位検出手段、１８は風呂ポンプで、これから出た循環水はパイプ１９を通りながら熱交換器１２で加熱された後、混入手段２７で酸素富化空気を混入される。２１は浴槽で２２は追焚きアダプタである。２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３，２４，２５の３つで酸素富化装置２６を構成している。３０は酸素富化給湯装置の制御手段、３１は酸素富化給湯装置の外部入力装置である。
【００２７】
図２は、本発明の第一の実施例における酸素富化給湯装置の外部入力装置３１を示すものである。３２は酸素運転スイッチ、３３は自動スイッチ、３４は追焚きスイッチ、３５は予約スイッチである。
【００２８】
以上のように構成された酸素富化給湯装置について、以下その動作・作用を説明する。
【００２９】
入浴者が浴槽に入ると、制御手段３０により水位検出装置２９が浴槽の湯の水位上昇を検出して自動的に酸素運転を開始し、混入手段２７によって酸素富化装置２６からの高濃度の酸素は追焚き循環回路２０の中の湯または水に混入され、この酸素が混入された湯または水が浴槽２１に取りつけた追焚きアダプタ２２から噴出するときに、高濃度の酸素が気泡２８となって浴槽水の中を通過し、その後浴室内に充満するようになる。
【００３０】
この結果、入浴者が浴槽に入ると自動的に酸素運転を行い、入浴中の人が高濃度の酸素を吸いながら湯につかることで、温浴効果を促進したり、居眠りを防止したりできる。また、高濃度の酸素が浴室内に充満していくことになり、リフレッシュ効果でリラックスして入浴することができる。
【００３１】
また、水位検出装置２９の信号により浴槽の湯の水位上昇を検出した場合には、追焚き循環回路２０に混入させた高濃度の酸素を追焚きアダプタ２２より噴出させる酸素運転を行い、外部入力装置３１に酸素運転を行った時間を表示する。
【００３２】
この結果、高濃度の酸素を吸いながら湯につかり、温浴効果を促進したり、リフレッシュ効果でリラックスして入浴している時間を入浴中の人が容易に知ることができ、入浴する上で非常に便利で使い勝手が良い。
【００３３】
また、水位検出装置２９の信号により浴槽の湯の上昇を検出した場合には、追焚き循環回路２０に混入させた高濃度の酸素を追焚きアダプタ２２より噴出させる酸素運転を行い、外部入力装置２９から酸素運転を行った時間を音声でお知らせする。
【００３４】
この結果、高濃度の酸素を吸いながら湯につかることで、温浴効果を促進したり、リフレッシュ効果でリラックスして入浴している時間を入浴中の人が容易に知ることができ、入浴する上で非常に便利で使い勝手が良い。
【００３５】
また、水位検出装置２９の信号により浴槽の湯の上昇を検出した場合には、外部入力装置２９により設定された時間だけ、追焚き循環回路２０に混入させた高濃度の酸素を追焚きアダプタ２２より噴出させる酸素運転を行う。
【００３６】
この結果、高濃度の酸素を吸いながら湯につかることで、温浴効果を促進したり、リフレッシュ効果でリラックスして入浴する時間をあらかじめ入浴する人が設定しておくことができ、入浴する上で非常に便利で使い勝手が良い。
【００３７】
また、水位検出装置２９の信号により浴槽の湯の上昇を検出した場合には、外部入力装置２９により設定された時間だけ、追焚き循環回路２０に混入させた高濃度の酸素を追焚きアダプタ２２より噴出させる酸素運転を行い、運転時間の残時間を外部入力装置２９に表示する。
【００３８】
この結果、高濃度の酸素を吸いながら湯につかることで、温浴効果を促進したり、リフレッシュ効果でリラックスして入浴する時間をあらかじめ入浴する人が設定しておくことができ、また酸素運転の残時間を入浴中の人が容易に知ることができ、入浴する上で非常に便利で使い勝手が良い。
【００３９】
また、水位検出装置２９の信号により浴槽の湯の上昇を検出した場合には、追焚き循環回路２０に混入させた高濃度の酸素を追焚きアダプタ２２より噴出させる酸素運転を行い、さらに水位検出装置２９の信号により浴槽の湯の下降を検出した場合には酸素運転を停止する。
【００４０】
この結果、入浴者が浴槽に入ると自動的に、高濃度の酸素を吸いながら湯につかることで、温浴効果を促進したり、リフレッシュ効果でリラックスして入浴することができ、入浴者が浴槽を出ると自動的に酸素運転を停止することができ、入浴する上で非常に便利で使い勝手が良い。
【図面の簡単な説明】
【００４１】
【図１】本発明の１実施例における酸素富化給湯装置の全体構成図
【図２】本発明の１実施例における外部入力装置図
【図３】従来の実施例の全体構成図
【符号の説明】
【００４２】
１８  ポンプ
２０  追焚き循環回路
２１  浴槽
２２  追焚きアダプタ
２６  酸素富化装置
２７  混入手段
２９  水位検出手段
３０  制御手段
３１  外部入力装置
０
【図１】
2006207877.tif 000003
【図３】
2006207877.tif 000004
【図２】
2006207877.tif 000005